(57)【要約】【課題】コイン等を別途用いることなく、スクラッチをその場で剥離することができるスクラッチカードを提供する。【解決手段】情報を隠蔽しておりかつ引掻きによって除去できるスクラッチ層を有するスクラッチカードであって、前記スクラッチ層を有するスクラッチカード本体、及び前記スクラッチカード本体から分離可能なスクラッチ用部分を有する、スクラッチカード。【選択図】図１
2016182789.tif 000002
【特許請求の範囲】
【請求項１】
情報を隠蔽しておりかつ引掻きによって除去できるスクラッチ層を有するスクラッチカードであって、
前記スクラッチ層を有するスクラッチカード本体、及び
前記スクラッチカード本体から分離可能なスクラッチ用部分を有する、
スクラッチカード。
【請求項２】
前記スクラッチカード本体及び前記スクラッチ用部分をそれぞれ手で保持して折り曲げることにより、又は前記スクラッチカード本体と前記スクラッチ用部分との間の境界を手でせん断させることにより、前記スクラッチ用部分を前記スクラッチカードから分離可能である、請求項１に記載のスクラッチカード。
【請求項３】
前記スクラッチカードが略長方形であり、かつ前記スクラッチ用部分が前記スクラッチカードの四隅のうちの１つを含んでいる、請求項１又は２に記載のスクラッチカード。
【請求項４】
前記スクラッチカード本体と前記スクラッチ用部分との間に前記スクラッチカードの面方向の切欠き及び／又は前記スクラッチカードの厚さ方向の切り込みが形成されている、請求項１〜３のいずれか一項に記載のスクラッチカード。
【請求項５】
前記スクラッチ用部分の表面に、誤飲防止剤が存在している、請求項１〜４のいずれか一項に記載のスクラッチカード。
【請求項６】
前記スクラッチ用部分の表面に、凹凸加工がされている、請求項１〜５のいずれか一項に記載のスクラッチカード。
【請求項７】
前記スクラッチ用部分を用いて前記スクラッチ層を剥離すべき旨の記載が表示されている、請求項１〜６のいずれか一項に記載のスクラッチカード。
【発明の詳細な説明】
【技術分野】
【０００１】
本発明は、スクラッチカードに関する。
【背景技術】
【０００２】
従来より、スクラッチ層を有するスクラッチカードが知られている。具体的には、特許文献１及び２に記載のスクラッチカードには、文字情報等の情報が記載されており、この情報の上に、有色のスクラッチ層が被覆されていることにより、この情報が隠蔽されているものである。使用者は、別途コイン等を用意し、このスクラッチ層をコイン等で剥離することにより、この情報を視覚にて認識することができる。
【０００３】
具体的なスクラッチカードの構成の例としては、特許文献１には、スクラッチ層が、基材の中心線を通るように積層されている、スクラッチカードが記載されている。また、特許文献２には、スクラッチ層が、金属コロイドを含有するインクジェットインクで構成されている、スクラッチカードが記載されている。
【先行技術文献】
【特許文献】
【０００４】
【特許文献１】特開平１１−１８８９８０号公報
【特許文献２】特開２００４−２７６３２５号公報
【発明の概要】
【発明が解決しようとする課題】
【０００５】
上述のとおり、スクラッチ層を剥離するためには、コイン等を別途用いる必要があり、利便性が良いとは言い難いものであった。したがって、本発明では、コイン等を別途用いることなく、スクラッチをその場で剥離することができるスクラッチカードを提供する。
【課題を解決するための手段】
【０００６】
本発明者らは、鋭意検討したところ、以下の手段により上記課題を解決できることを見出して、本発明を完成させた。すなわち、本発明は、下記の通りである：
〈１〉  情報を隠蔽しておりかつ引掻きによって除去できるスクラッチ層を有するスクラッチカードであって、
上記スクラッチ層を有するスクラッチカード本体、及び
上記スクラッチカード本体から分離可能なスクラッチ用部分を有する、
スクラッチカード。
〈２〉  上記スクラッチカード本体及び上記スクラッチ用部分をそれぞれ手で保持して折り曲げることにより、又は上記スクラッチカード本体と上記スクラッチ用部分との間の境界を手でせん断させることにより、上記スクラッチ用部分を上記スクラッチカードから分離可能である、上記〈１〉項に記載のスクラッチカード。
〈３〉  上記スクラッチカードが略長方形であり、かつ上記スクラッチ用部分が上記スクラッチカードの四隅のうちの１つを含んでいる、上記〈１〉又は〈２〉項に記載のスクラッチカード。
〈４〉  上記スクラッチカード本体と上記スクラッチ用部分との間に上記スクラッチカードの面方向の切欠き及び／又は上記スクラッチカードの厚さ方向の切り込みが形成されている、上記〈１〉〜〈３〉項のいずれか一項に記載のスクラッチカード。
〈５〉  上記スクラッチ用部分の表面に、誤飲防止剤が存在している、上記〈１〉〜〈４〉項のいずれか一項に記載のスクラッチカード。
〈６〉  上記スクラッチ用部分の表面に、凹凸加工がされている、上記〈１〉〜〈５〉項のいずれか一項に記載のスクラッチカード。
〈７〉  上記スクラッチ用部分を用いて上記スクラッチ層を剥離すべき旨の記載が表示されている、上記〈１〉〜〈６〉項のいずれか一項に記載のスクラッチカード。
【発明の効果】
【０００７】
本発明によれば、コイン等を別途用いることなく、スクラッチをその場で剥離することができるスクラッチカードを提供することができる。
【０００８】
特に、本発明のスクラッチカードでは、スクラッチ部分をスクラッチカード本体から分離させて使用するため、コインを改めて用意する必要がないほか、使用済みのカードである点が一目でわかるため、使用済みのコードを再度入力してしまうといったコードの誤入力を防ぐことが可能となる。
【図面の簡単な説明】
【０００９】
【図１】図１は、本発明のスクラッチカードの構成を示す模式図である。図１（ａ）は、本発明のスクラッチカードの平面図である。図１（ｂ）は、図１（ａ）のＩ−Ｉにおける断面図である。
【図２】図２は、本発明のスクラッチカードの使用方法の模式図である。図２（ａ）は、スクラッチ用部分をスクラッチカード本体から分離する前の状態を示す図である。図２（ｂ）は、スクラッチ用部分をスクラッチカード本体から分離した状態を示す図である。図２（ｃ）は、スクラッチ用部分を用いてスクラッチ層を剥離している様子を示す図である。
【図３】図３は、スクラッチカード本体とスクラッチ用部分との間の境界の画定手段の第１の実施態様を示す図である。図３（ａ）は、スクラッチカードの正面図を示しており、図３（ｂ）及び（ｃ）は、図３（ａ）の線ＩＩＩ−ＩＩＩにおけるスクラッチカードの断面を示している。
【図４】図４は、スクラッチカード本体とスクラッチ用部分との間の境界の画定手段の第２の実施態様を示す図である。図４（ａ）は、スクラッチカードの正面図を示しており、図４（ｂ）は、図４（ａ）の線ＩＶ−ＩＶにおけるスクラッチカードの断面を示している。
【図５】図５は、スクラッチカード本体とスクラッチ用部分との間に面方向の切欠きが形成されている、スクラッチカードの実施態様を示す図である。
【図６】スクラッチ用部分を用いてスクラッチ層を剥離すべき旨の記載が表示されている、スクラッチカードの実施態様を示す図である。図６（ａ）は、この記載がスクラッチ用部分に表示されている場合のスクラッチカードの正面図であり、図６（ｂ）は、この記載がスクラッチカード本体に表示されている場合のスクラッチカードの正面図であり、図６（ｃ）は、この記載の例を示している。
【図７】スクラッチカード本体とスクラッチ用部分との間の境界の態様を示す図である。図７（ａ）及び（ｂ）は、境界が直線状である場合のスクラッチカードの正面図であり、図７（ｃ）は、境界が曲線状である場合のスクラッチカードの正面図である。
【発明を実施するための形態】
【００１０】
《スクラッチカード》
スクラッチカードは、情報を隠蔽しておりかつ引掻きによって除去できるスクラッチ層を有するカードである。特に、本発明のスクラッチカード（３００）は、図１（ａ）に示すように、スクラッチカード本体（１００）、及びスクラッチ用部分（２００）を有する。このスクラッチカード本体は、基材層（３０）、及びスクラッチ層（２０）を有する。また、図１（ｂ）に示すように、スクラッチ層（２０）の下には印字層（１０）が形成されている。
【００１１】
本発明のスクラッチカードは、プリペイド式カード等で使用することができる。例えば、カード販売者が決裁時に必要なコードを印字層に記載しておき、使用者は、決裁時にスクラッチ部分を使用してスクラッチ層を剥離し、コードを確認、入力することで決裁を完了することができる。
【００１２】
スクラッチカードの表面の形状は、任意の形状、例えば略長方形であることができる。より具体的には、スクラッチカードの形状は、ＩＳＯ／ＩＥＣ  ７８１０：２００３  ＩＤ−１、ＪＩＳ  ｘ  ６３０１：２００５  ＩＤ−１等で規格化された大きさであることができる。
【００１３】
スクラッチカードの厚さは、１００μｍ以上、２００μｍ以上、又は３００μｍ以上であることができ、また２０００μｍ以下、１５００μｍ以下、又は１０００μｍ以下であることができる。
【００１４】
このスクラッチカードの使用方法を、図２（ａ）〜（ｃ）を参照して具体的に説明する。
【００１５】
使用前においては、図２（ａ）に示すように、スクラッチカード（３００）のスクラッチカード本体（１００）及びスクラッチ用部分（２００）が一体となっている。
【００１６】
このスクラッチ用部分（２００）は、図２（ｂ）に示すように、スクラッチカード本体（１００）から分離することができる。より具体的には例えば、スクラッチカード本体（１００）及びスクラッチ用部分（２００）をそれぞれ手で保持して折り曲げることにより、又はスクラッチカード本体（１００）とスクラッチ用部分（２００）との間の境界を手でせん断させることにより、スクラッチカード本体（１００）からスクラッチ用部分（２００）を分離することができる。
【００１７】
このスクラッチ用部分（２００）をスクラッチカード本体（１００）から分離した後、図２（ｃ）に示すように、スクラッチ用部分（２００）をスクラッチ層（２０）に当てて擦ることにより、スクラッチ層（２０）を剥離することができる。
【００１８】
次に、スクラッチカード本体（１００）とスクラッチ用部分（２００）との間の境界について、図３〜５を参照して説明する。なお、図３（ａ）の線ＩＩＩ−ＩＩＩにおける断面図（図３（ｂ）及び（ｃ））、及び図４（ａ）の線ＩＶ−ＩＶにおける断面図（図４（ｂ））は、スクラッチカード本体（１００）とスクラッチ用部分（２００）との間の境界の断面を示していることに留意されたい。また、全ての断面図において、切断面を平行斜線で示していることに留意されたい。
【００１９】
スクラッチカード本体（１００）及びスクラッチ用部分（２００）の境界は、図３（ａ）に示すように実線状であってよい。この場合、スクラッチカード本体（１００）とスクラッチ用部分（２００）との間は、例えば、図３（ａ）の線ＩＩＩ−ＩＩＩにおける断面（図３（ｂ））に示すように、中央に接合箇所（２００ｂ）が存在している形状であってよい。この場合、分離箇所（２００ａ）は、例えばスクラッチカード（３００）の表面側及び裏面側から厚さ方向の切り込みをいれることにより形成することができる。また、スクラッチカード本体（１００）とスクラッチ用部分（２００）との間は、図３（ａ）の線ＩＩＩ−ＩＩＩにおける別の断面（図３（ｃ））に示すように裏面に接合箇所（２００ｂ）が存在していてもよい。この場合、分離箇所（２００ａ）は、例えばスクラッチカード（３００）の表面側から厚さ方向の切り込みをいれることにより形成することができる。
【００２０】
スクラッチカード本体（１００）及びスクラッチ用部分（２００）の境界は、図４（ａ）に示すように点線状であってもよい。この場合、スクラッチカード本体（１００）とスクラッチ用部分（２００）との間は、例えば図４（ａ）の線ＩＶ−ＩＶにおける断面（図４（ｂ））に示すように、分離箇所（２００ａ）、及び接合箇所（２００ｂ）が交互に並んでいてよい。この場合、分離箇所（２００ａ）は、例えばスクラッチカード（３００）の厚さ方向の切り込みを入れることにより形成することができる。
【００２１】
また、図５に示すように、スクラッチカード本体（１００）とスクラッチ用部分（２００）との間に面方向の切欠き（４０）が形成されていてもよい。これにより、例えばスクラッチカード（３００）に応力集中部が形成されてスクラッチ用部分（２００）をスクラッチカード本体（１００）から分離しやすくなり、かつ／又はスクラッチ用部分（２００）をスクラッチカード本体（１００）から分離したときにエッジが生じないようにすることができる。
【００２２】
また、この面方向の切欠き（４０）の形状を変更することにより、スクラッチカード本体（１００）及びスクラッチ用部分（２００）の形状をそれぞれ任意の形状とすることができる。例えば、スクラッチ用部分を、図５に示すギターのピックのような物品、動物、植物等を模った形状とすることができる。また、スクラッチ用部分（２００）を、漫画、映画、アニメ、コンピューターゲーム等に登場するキャラクターを模った形状とすることができる。
【００２３】
図６に示すように、本発明のスクラッチカード（３００）には、スクラッチ用部分（２００）を用いてスクラッチ層（２０）を剥離すべき旨の記載（５０）が表示されていてもよい。これにより、このスクラッチ用部分（２００）をスクラッチ層（２０）を剥離するために用いることを、使用者が明確に認識することができる。
【００２４】
この記載（５０）は、図６（ａ）に示すようにスクラッチ用部分（２００）に表示されていてもよく、また図６（ｂ）に示すようにスクラッチカード本体（１００）に表示されていてもよい。この記載（５０）としては、例えば図６（ｃ）に示すような記載が挙げられる。
【００２５】
また、図示しないが、本発明のスクラッチカード（３００）には、スクラッチ用部分（２００）を分離すべき旨の記載が表示されていてもよい。この記載としては、スクラッチカード本体（１００）とスクラッチ用部分（２００）との間の境界付近に記載されている「キリトリセン」等の表示が挙げられる。
【００２６】
図７に示すように、スクラッチカード本体（１００）とスクラッチ用部分（２００）との間の境界は、図７（ａ）及び（ｂ）に示すように直線状であってもよく、また図７（ｃ）に示すように曲線状であってもよい。
【００２７】
しかしながら、スクラッチ用部分（２００）の分離のしやすさ及び使いやすさの観点から、スクラッチ用部分（２００）は、図１（ａ）等に示すように、スクラッチカード（３００）の四隅のうちの１つを含んでいることが好ましい。
【００２８】
以下では、本発明のスクラッチカードの各構成要素について説明する。
【００２９】
〈スクラッチカード本体〉
スクラッチカード本体は、本発明のスクラッチカードにおいて、スクラッチ層を有する部分を意味する。特に、スクラッチカード本体は、基材層、随意の補強層、印字層、及びスクラッチ層を有する。
【００３０】
（基材層）
基材層としては、例えばポリプロピレン等のポリオレフィン、ポリエチレンテレフタレート、非結晶性ポリエチレンテレフタレート、ポリ塩化ビニル、アクリル系樹脂等の樹脂シート、上質紙、中質紙、コート紙、アイボリー紙、両面カード紙、マニラボール紙、白ボール等の紙シート、が挙げられる。
【００３１】
（補強層）
補強層は、スクラッチカード、特にスクラッチ用部分に強度を付与する随意の層である。この層により、スクラッチ層を剥離するために十分な強度をスクラッチ用部分に付与することができる。特に、基材層が紙シートで構成されている場合には、基材層に補強層を積層させることが好ましい。
【００３２】
補強層としては、例えば基材層に関して挙げた樹脂シートが挙げられる。
【００３３】
補強層は、スクラッチカードの随意の面、特に表面及び／又は裏面に積層することができる。
【００３４】
スクラッチカードが補強層を有する場合、スクラッチカードの強度を確保する観点から、基材層の厚さをスクラッチカードの全厚の５０％以下、４５％以下、又は４０％以下とすることが好ましい。
【００３５】
（印字層）
印字層は、スクラッチカードに情報を記載するための層を意味する。この印字層は、随意のインクで構成されていてよい。
【００３６】
（スクラッチ層）
スクラッチ層は、印字層を隠蔽し、かつ、コイン等で擦ることにより比較的容易に削り取ることができる層である。特に、本発明においては、このスクラッチ層はスクラッチ用部分で擦ることにより削り取ることができる。
【００３７】
スクラッチ層は、バインダー樹脂、及びこれに分散している有色顔料を含有することができる。バインダー樹脂としては、例えば天然ゴム系樹脂、ポリブタジエン、スチレン−ブタジエン共重合体、アクリロニトリル−ブタジエン共重合体、ポリイソプレン、ポリクロロプレン等のジエン系樹脂、アクリル系樹脂、ビニル系樹脂等が挙げられる。有色顔料としては、アルミニウム粉末，黄銅微粉末、銅微粉末等の金属系微粉末、及びこれらの酸化微粉末等が挙げられる。
【００３８】
（他の層）
スクラッチカード本体には、上記の層以外の層が積層されていてもよい。
【００３９】
例えば、スクラッチ層の剥離を容易にするため、印字層とスクラッチ層との間に易剥離層が積層されていてもよい。易剥離性層は、例えば印字層とスクラッチ層とを剥離する部分に剥離ニス等を塗布することで形成することができる。
【００４０】
〈スクラッチ用部分〉
スクラッチ用部分は、スクラッチ層を引掻いて剥離するための部分である。特に、本発明において、スクラッチ用部分は、スクラッチカード本体から分離可能な部分、すなわちスクラッチカードの一部を言うものである。
【００４１】
スクラッチ用部分は、基材層を具備している。この基材層は、スクラッチカード本体と同一の基材層であることができる。
【００４２】
このスクラッチ用部分の表面には、凹凸加工がされていてもよい。これにより、触覚によってこの一部を識別することができ、かつ／又はスクラッチ層を剥離しやすくすることができる。
【００４３】
また、このスクラッチ用部分の表面には、誤って飲み込むことを防止するための味覚成分（誤飲防止剤）が存在していてもよい。味覚成分としては、例えば安息香酸デナトニウム、オクタアセチルスクロース、タンニン、カテキン、モモルデシン等の苦み成分、又は硫化アリル、アリルイソチオシアネート、カプサイシン等の辛み成分、クエン酸、フマル酸ナトリウム、リンゴ酸、アジピン酸等の酸味成分等が挙げられる。
【００４４】
《スクラッチカードの製造方法》
本発明のスクラッチカードの製造方法は、スクラッチカード本体とスクラッチ用部分との境界を画定すること、表面に印字層を積層すること、及び印字層上にスクラッチ層を積層させることを含む。
【００４５】
〈境界の画定〉
スクラッチカード本体とスクラッチ用部分との境界の画定は、随意の方法、例えば図３又は４に示すようにスクラッチカードの厚さ方向の切り込みを入れることにより、及び／又は図５に示すように打ち抜き等によって、スクラッチカードの面方向に切欠きを形成することにより行うことができる。
【００４６】
〈印字層の積層〉
印字層の積層は、例えばグラビア印刷、オフセット印刷、活版印刷、インキジェット印刷、フレキソ印刷、スクリーン印刷、ウルトラグラフィックス（ＵＧ）印刷等の印刷手段により行うことができる。
【００４７】
〈スクラッチ層の積層〉
スクラッチ層の積層も、印字層の積層に関して挙げた印刷手段により行うことができる。
【００４８】
ここまで種々の実施態様を参照しながら本発明を説明してきたが、当業者は、特許請求の範囲に定義された特許の範囲から逸脱することなく、本発明を様々に変更して実施をすることができるということが当然に理解されよう。
【符号の説明】
【００４９】
１０    印字層
２０    スクラッチ層
３０    基材層
４０    切欠き
５０    スクラッチ用部分を用いてスクラッチ層を剥離すべき旨の記載
１００    スクラッチカード本体
２００    スクラッチ用部分
２００ａ    分離箇所
２００ｂ    接合箇所
３００    スクラッチカード
【図１】
2016182789.tif 000003
【図２】
2016182789.tif 000004
【図３】
2016182789.tif 000005
【図４】
2016182789.tif 000006
【図５】
2016182789.tif 000007
【図６】
2016182789.tif 000008
【図７】
2016182789.tif 000009